(57)【要約】  【課題】  熱風を回転ドラム内に供給して衣類を乾燥する衣類乾燥機において、衣類どうしの摩擦や衣類と樹脂部品との摩擦による静電気を発生しにくくする。  【解決手段】  衣類を収納し乾燥させる回転ドラム２内に、ヒータ１２により加熱された熱風を送風ファン１０により供給する。回転ドラム２内の衣類を撹拌するためのバッフル１３に陽イオン系界面活性剤を含浸させた部材１４を着脱自在に取り付けるように構成し、衣類どうしの摩擦や衣類と樹脂部品との摩擦による静電気を発生しにくくする。【選択図】  図１
2005052285.tif 000002
【特許請求の範囲】
【請求項１】
衣類を収納し乾燥させる回転ドラムと、前記回転ドラム内に熱源により加熱された熱風を供給する送風ファンとを備え、前記回転ドラム内の衣類を撹拌するための突起部材に陽イオン系界面活性剤を含浸させた部材を着脱自在に取り付けるように構成した衣類乾燥機。
【請求項２】
衣類を収納し乾燥させる回転ドラムと、前記回転ドラム内に熱源により加熱された熱風を供給する送風ファンとを備え、前記回転ドラムへの衣類の投入口を形成するドアの衣類に接触する面に陽イオン系界面活性剤を含浸させた部材を着脱自在に取り付けるように構成した衣類乾燥機。
【請求項３】
衣類を収納し乾燥させる回転ドラムと、前記回転ドラム内に熱源により加熱された熱風を供給する送風ファンとを備え、前記回転ドラム内の衣類から発生する糸くずを回収するフィルターの表面の樹脂部材に陽イオン系界面活性剤を含浸させた部材を着脱自在に取り付けるように構成した衣類乾燥機。
【請求項４】
衣類を収納し乾燥させる回転ドラムと、前記回転ドラム内に熱源により加熱された熱風を供給する送風ファンとを備え、前記回転ドラムへの衣類の投入口を形成するドアの一部に陽イオン系界面活性剤を収納する容器を設け、前記ドアの衣類に接触する側から陽イオン系界面活性剤が運転中に自動的に所定量流出するように構成した衣類乾燥機。
【請求項５】
衣類を収納し乾燥させる回転ドラムと、前記回転ドラム内に熱源により加熱された熱風を供給する送風ファンとを備え、筐体前面の一部に陽イオン系界面活性剤を収納する容器を設け、前記回転ドラムを前方で軸支する固定部材の衣類に接触する面から陽イオン系界面活性剤が運転中に自動的に所定量流出するように構成した衣類乾燥機。
【発明の詳細な説明】
【技術分野】
【０００１】
本発明は、熱風を回転ドラム内に供給して衣類を乾燥する衣類乾燥機に関するものである。
【背景技術】
【０００２】
従来、衣類乾燥機においては、乾燥度検出手段により衣類の乾燥度を検出し運転を自動停止するように構成していた（例えば、特許文献１参照）。
【特許文献１】特開平０６−３２７８９９号公報（第１０−１１頁、第３図）
【発明の開示】
【発明が解決しようとする課題】
【０００３】
このような従来の衣類乾燥機では、衣類の乾燥に伴い、衣類どうしの摩擦や衣類と樹脂部品との摩擦等により静電気が発生することがあるという問題があった。
【０００４】
本発明は上記従来の課題を解決するもので、衣類どうしの摩擦や衣類と樹脂部品との摩擦による静電気を発生しにくくすることを目的としている。
【課題を解決するための手段】
【０００５】
本発明は上記目的を達成するために、衣類を収納し乾燥させる回転ドラム内に、熱源により加熱された熱風を送風ファンにより供給するよう構成し、回転ドラム内の衣類を撹拌するための突起部材に陽イオン系界面活性剤を含浸させた部材を着脱自在に取り付けるように構成したものである。
【０００６】
これにより、衣類どうしの摩擦や衣類と樹脂部品との摩擦による静電気を発生しにくくすることができる。
【発明の効果】
【０００７】
以上のように本発明の請求項１に記載の発明によれば、衣類を収納し乾燥させる回転ドラム内に、熱源により加熱された熱風を送風ファンにより供給するよう構成し、回転ドラム内の衣類を撹拌するための突起部材に陽イオン系界面活性剤を含浸させた部材を着脱自在に取り付けるように構成したから、衣類どうしの摩擦や衣類と樹脂部品との摩擦による静電気を発生しにくくすることができる。
【発明を実施するための最良の形態】
【０００８】
本発明の請求項１に記載の発明は、衣類を収納し乾燥させる回転ドラムと、前記回転ドラム内に熱源により加熱された熱風を供給する送風ファンとを備え、前記回転ドラム内の衣類を撹拌するための突起部材に陽イオン系界面活性剤を含浸させた部材を着脱自在に取り付けるように構成したものであり、衣類どうしの摩擦や衣類と樹脂部品との摩擦による静電気を発生しにくくすることができる。
【０００９】
請求項２に記載の発明は、衣類を収納し乾燥させる回転ドラムと、前記回転ドラム内に熱源により加熱された熱風を供給する送風ファンとを備え、前記回転ドラムへの衣類の投入口を形成するドアの衣類に接触する面に陽イオン系界面活性剤を含浸させた部材を着脱自在に取り付けるように構成したものであり、衣類どうしの摩擦や衣類と樹脂部品との摩擦による静電気を発生しにくくすることができる。
【００１０】
請求項３に記載の発明は、衣類を収納し乾燥させる回転ドラムと、前記回転ドラム内に熱源により加熱された熱風を供給する送風ファンとを備え、前記回転ドラム内の衣類から発生する糸くずを回収するフィルターの表面の樹脂部材に陽イオン系界面活性剤を含浸させた部材を着脱自在に取り付けるように構成したものであり、衣類どうしの摩擦や衣類と樹脂部品との摩擦による静電気を発生しにくくすることができる。
【００１１】
請求項４に記載の発明は、衣類を収納し乾燥させる回転ドラムと、前記回転ドラム内に熱源により加熱された熱風を供給する送風ファンとを備え、前記回転ドラムへの衣類の投入口を形成するドアの一部に陽イオン系界面活性剤を収納する容器を設け、前記ドアの衣類に接触する側から陽イオン系界面活性剤が運転中に自動的に所定量流出するように構成したものであり、衣類どうしの摩擦や衣類と樹脂部品との摩擦による静電気を発生しにくくすることができる。
【００１２】
請求項５に記載の発明は、衣類を収納し乾燥させる回転ドラムと、前記回転ドラム内に熱源により加熱された熱風を供給する送風ファンとを備え、筐体前面の一部に陽イオン系界面活性剤を収納する容器を設け、前記回転ドラムを前方で軸支する固定部材の衣類に接触する面から陽イオン系界面活性剤が運転中に自動的に所定量流出するように構成したものであり、衣類どうしの摩擦や衣類と樹脂部品との摩擦による静電気を発生しにくくすることができる。
【実施例】
【００１３】
以下、本発明の実施例について、図面を参照しながら説明する。
【００１４】
（実施例１）
図１に示すように、筐体１は、回転ドラム２を前部の開口部に設けたドラム支持板３で支持し、回転ドラム２の後部はシャフト４を介してファンケース５にて回転自在に支持している。この回転ドラム２の奥壁にフィルター６およびフィルターカバー７を装着し、衣類から出るリントが機外に放出しないようにしている。モータ８は、ファンベルト９にてファンケース５内に設けた送風ファン１０に連結し、回転ドラム２内に熱風を送風して衣類を乾燥する。
【００１５】
また、回転ドラム２内の衣類を撹拌するために、モータ８と連結したドラムベルト１１を介して回転ドラム２を回転する。ヒータ（熱源）１２は、回転ドラム２内に供給する熱風を加熱する。矢印Ａは風の流れを示す。回転ドラム２内には突起部材であるバッフル１３があり、衣類を撹拌する。陽イオン系界面活性剤を含浸させた部材１４は、バッフル１３に着脱自在に取り付けている。陽イオン系界面活性剤は柔軟仕上剤の成分である。
【００１６】
上記構成において動作を説明する。乾燥運転中、特に、衣類が乾いてくる終盤には衣類に含まれる水分量が少なくなり、回転ドラム２内で衣類が撹拌されヒータ１２を介した熱風が送り込まれると、衣類どうしの摩擦や衣類と樹脂部品との摩擦により静電気が発生しやすい状態になる。
【００１７】
しかしながら、本実施例では、バッフル１３に陽イオン系界面活性剤を含浸させた部材１４を取り付けているので、運転中にバッフル１３により衣類が撹拌される際に陽イオン系界面活性剤が衣類に付着し、洗濯時に柔軟仕上剤を使用したときと同様に、衣類表面の摩擦抵抗が小さくなり、衣類どうしの摩擦や衣類と樹脂部品との摩擦による静電気の発生を軽減することができる。陽イオン系界面活性剤を含浸させた部材１４は、静電気の発生を抑えたい乾燥運転の前に交換または陽イオン系界面活性剤を補充して含浸させて使用する。
【００１８】
このように本実施例によれば、回転ドラム２内のバッフル１３に陽イオン系界面活性剤を含浸させた部材１４を着脱自在に取り付けているので、乾燥運転中の衣類どうしの摩擦や衣類と樹脂部品との摩擦による静電気を発生しにくくすることができる。
【００１９】
（実施例２）
図２に示すように、筐体２１は、回転ドラム２２を前部の開口部に設けたドラム支持板２３で支持し、回転ドラム２２の後部はシャフト２４を介してファンケース２５にて回転自在に支持している。この回転ドラム２２の奥壁にフィルター２６およびフィルターカバー２７を装着し、衣類から出るリントが機外に放出しないようにしている。モータ２８は、ファンベルト２９にてファンケース２５内に設けた送風ファン３０に連結し、回転ドラム２２内に熱風を送風して衣類を乾燥する。
【００２０】
また、回転ドラム２２内の衣類を撹拌するために、モータ２８と連結したドラムベルト３１を介して回転ドラム２２を回転する。ヒータ（熱源）３２は、回転ドラム２２内に供給する熱風を加熱する。矢印Ｂは風の流れを示す。回転ドラム２２内には突起部材であるバッフル３３があり、衣類を撹拌する。
【００２１】
回転ドラム２２の前方は衣類の投入口であり、ドア３４を開閉自在に設けている。このドア３４の衣類に接触する面にドア裏板３５を配設し、このドア裏板３５に陽イオン系界面活性剤を含浸させた部材３６を着脱自在に取り付けている。陽イオン系界面活性剤は柔軟仕上剤の成分である。
【００２２】
上記構成において動作を説明する。乾燥運転中、特に、衣類が乾いてくる終盤には衣類に含まれる水分量が少なくなり、回転ドラム２２内で衣類が撹拌されヒータ３２を介した熱風が送り込まれると、衣類どうしの摩擦や衣類と樹脂部品との摩擦により静電気が発生しやすい状態になる。
【００２３】
しかしながら、本実施例では、ドア裏板３５に陽イオン系界面活性剤を含浸させた部材３６を取り付けているので、運転中に衣類が撹拌されてドア裏板３５に接触する際に陽イオン系界面活性剤が衣類に付着し、洗濯時に柔軟仕上剤を使用したときと同様に、衣類表面の摩擦抵抗が小さくなり、衣類どうしの摩擦や衣類と樹脂部品との摩擦による静電気の発生を軽減することができる。陽イオン系界面活性剤を含浸させた部材３６は、静電気の発生を抑えたい乾燥運転の前に交換または陽イオン系界面活性剤を補充して含浸させて使用する。
【００２４】
このように本実施例によれば、ドア３４の衣類に接触する面に配設したドア裏板３５に陽イオン系界面活性剤を含浸させた部材３６を着脱自在に取り付けているので、乾燥運転中の衣類どうしの摩擦や衣類と樹脂部品との摩擦による静電気を発生しにくくすることができる。
【００２５】
（実施例３）
図３に示すように、筐体４１は、回転ドラム４２を前部の開口部に設けたドラム支持板４３で支持し、回転ドラム４２の後部はシャフト４４を介してファンケース４５にて回転自在に支持している。この回転ドラム４２の奥壁にフィルター４６およびフィルターカバー４７を装着し、衣類から出るリントが機外に放出しないようにしている。モータ４８は、ファンベルト４９にてファンケース４５内に設けた送風ファン５０に連結し、回転ドラム４２内に熱風を送風して衣類を乾燥する。
【００２６】
また、回転ドラム５２内の衣類を撹拌するために、モータ４８と連結したドラムベルト５１を介して回転ドラム４２を回転する。ヒータ（熱源）５２は、回転ドラム４２内に供給する熱風を加熱する。矢印Ｃは風の流れを示す。回転ドラム４２内には突起部材であるバッフル５３があり、衣類を撹拌する。
【００２７】
陽イオン系界面活性剤を含浸させた部材５４は、フィルターカバー４７に着脱自在に取り付けている。陽イオン系界面活性剤は柔軟仕上剤の成分である。
【００２８】
上記構成において動作を説明する。乾燥運転中、特に、衣類が乾いてくる終盤には衣類に含まれる水分量が少なくなり、回転ドラム４２内で衣類が撹拌されヒータ５２を介した熱風が送り込まれると、衣類どうしの摩擦や衣類と樹脂部品との摩擦により静電気が発生しやすい状態になる。
【００２９】
しかしながら、本実施例では、フィルターカバー４７に陽イオン系界面活性剤を含浸させた部材５４を取り付けているので、運転中に衣類が撹拌されてフィルターカバー４７に接触する際に陽イオン系界面活性剤が衣類に付着し、洗濯時に柔軟仕上剤を使用したときと同様に、衣類表面の摩擦抵抗が小さくなり、衣類どうしの摩擦や衣類と樹脂部品との摩擦による静電気の発生を軽減することができる。陽イオン系界面活性剤を含浸させた部材５４は、静電気の発生を抑えたい乾燥運転の前に交換または陽イオン系界面活性剤を補充して含浸させて使用する。
【００３０】
このように本実施例によれば、フィルターカバー４７に陽イオン系界面活性剤を含浸させた部材５４を着脱自在に取り付けているので、乾燥運転中の衣類どうしの摩擦や衣類と樹脂部品との摩擦による静電気を発生しにくくすることができる。
【００３１】
（実施例４）
図４に示すように、筐体６１は、回転ドラム６２を前部の開口部に設けたドラム支持板６３で支持し、回転ドラム６２の後部はシャフト６４を介してファンケース６５にて回転自在に支持している。この回転ドラム６２の奥壁にフィルター６６およびフィルターカバー６７を装着し、衣類から出るリントが機外に放出しないようにしている。モータ６８は、ファンベルト６９にてファンケース６５内に設けた送風ファン７０に連結し、回転ドラム６２内に熱風を送風して衣類を乾燥する。
【００３２】
また、回転ドラム６２内の衣類を撹拌するために、モータ６８と連結したドラムベルト７１を介して回転ドラム６２を回転する。ヒータ（熱源）７２は、回転ドラム６２内に供給する熱風を加熱する。矢印Ｄは風の流れを示す。回転ドラム６２内には突起部材であるバッフル７３があり、衣類を撹拌する。
【００３３】
回転ドラム６２の前方は衣類の投入口であり、ドア７４を開閉自在に設けている。このドア７４の衣類に接触する面にドア裏板７５を配設している。容器７６は陽イオン系界面活性剤を収納しており、運転中に流出量制御装置７７によりドア裏板７５側から自動的に所定量の陽イオン系界面活性剤が流出するよう構成している。陽イオン系界面活性剤は柔軟仕上剤の成分である。容器７６内の陽イオン系界面活性剤が少なくなれば注入口７８から補充するようにしている。
【００３４】
上記構成において動作を説明する。乾燥運転中、特に、衣類が乾いてくる終盤には衣類に含まれる水分量が少なくなり、回転ドラム６２内で衣類が撹拌されヒータ７２を介した熱風が送り込まれると、衣類どうしの摩擦や衣類と樹脂部品との摩擦により静電気が発生しやすい状態になる。
【００３５】
しかしながら、本実施例では、容器７６から自動的に所定量の陽イオン系界面活性剤が流出するので、運転中に衣類が撹拌されてドア裏板７５に接触する際に陽イオン系界面活性剤が衣類に付着し、洗濯時に柔軟仕上剤を使用したときと同様に、衣類表面の摩擦抵抗が小さくなり、衣類どうしの摩擦や衣類と樹脂部品との摩擦による静電気の発生を軽減することができる。
【００３６】
このように本実施例によれば、ドア７４の一部に陽イオン系界面活性剤を収納する容器７６を設け、ドア７４の衣類に接触する面に配設したドア裏板７５側から陽イオン系界面活性剤が運転中に自動的に所定量流出するように構成したので、乾燥運転中の衣類どうしの摩擦や衣類と樹脂部品との摩擦による静電気を発生しにくくすることができる。
【００３７】
（実施例５）
図５に示すように、筐体８１は、回転ドラム８２を前部の開口部に設けた固定部材であるドラム支持板８３で支持し、回転ドラム８２の後部はシャフト８４を介してファンケース８５にて回転自在に支持している。この回転ドラム８２の奥壁にフィルター８６およびフィルターカバー８７を装着し、衣類から出るリントが機外に放出しないようにしている。モータ８８は、ファンベルト８９にてファンケース８５内に設けた送風ファン９０に連結し、回転ドラム８２内に熱風を送風して衣類を乾燥する。
【００３８】
また、回転ドラム８２内の衣類を撹拌するために、モータ８８と連結したドラムベルト９１を介して回転ドラム８２を回転する。ヒータ（熱源）９２は、回転ドラム８２内に供給する熱風を加熱する。矢印Ｅは風の流れを示す。回転ドラム８２内には突起部材であるバッフル９３があり、衣類を撹拌する。
【００３９】
容器９４は陽イオン系界面活性剤を収納しており、運転中には流出量制御装置９５によりドラム支持板８３側から自動的に所定量の陽イオン系界面活性剤が流出するよう構成している。陽イオン系界面活性剤は柔軟仕上剤の成分である。容器９４内の陽イオン系界面活性剤が少なくなれば筐体８１前面側に設けた注入口９６から補充することができる。
【００４０】
上記構成において動作を説明する。乾燥運転中、特に、衣類が乾いてくる終盤には衣類に含まれる水分量が少なくなり、回転ドラム８２内で衣類が撹拌されヒータ９２を介した熱風が送り込まれると、衣類どうしの摩擦や衣類と樹脂部品との摩擦により静電気が発生しやすい状態になる。
【００４１】
しかしながら、本実施例では、容器９４から自動的に所定量の陽イオン系界面活性剤が流出するので、運転中に衣類が撹拌されてドラム支持板８３に接触する際に陽イオン系界面活性剤が衣類に付着し、洗濯時に柔軟仕上剤を使用したときと同様に、衣類表面の摩擦抵抗が小さくなり、衣類どうしの摩擦や衣類と樹脂部品との摩擦による静電気の発生を軽減することができる。
【００４２】
このように本実施例によれば、筐体８１の前面の一部に陽イオン系界面活性剤を収納する容器９４を設け、回転ドラム８２を前方で軸支するドラム支持板８３の衣類に接触する面から陽イオン系界面活性剤が運転中に自動的に所定量流出するように構成したので、乾燥運転中の衣類どうしの摩擦や衣類と樹脂部品との摩擦による静電気を発生しにくくすることができる。
【図面の簡単な説明】
【００４３】
【図１】本発明の第１の実施例の衣類乾燥機の縦断面図
【図２】本発明の第２の実施例の衣類乾燥機の縦断面図
【図３】本発明の第３の実施例の衣類乾燥機の縦断面図
【図４】本発明の第４の実施例の衣類乾燥機の縦断面図
【図５】本発明の第５の実施例の衣類乾燥機の縦断面図
【符号の説明】
【００４４】
２  回転ドラム
１０  送風ファン
１２  ヒータ（熱源）
１３  バッフル（突起部材）
１４  陽イオン系界面活性剤を含浸させた部材
【図１】
2005052285.tif 000003
【図２】
2005052285.tif 000004
【図３】
2005052285.tif 000005
【図４】
2005052285.tif 000006
【図５】
2005052285.tif 000007